(57)【要約】【課題】放熱性を向上し組立性がよい構造を採用して、消費電力が小さい光モジュールおよび走査型画像表示装置を提供する【解決手段】複数のレーザ光源１ａ、１ｂ、１ｃからのレーザ光を結合し所望の位置に照射する光モジュール１０１を、第一のレーザ光源１ａを保持する第一のレーザホルダ１０ａに対する第一の突起部１１ａと、第二のレーザ光源１ｂを保持する第二のレーザホルダ１０ｂに対する第二の突起部１１ｂを、前記光モジュール１０１を載置する基台１１２に設け、前記第一の突起部１１ａと第一のレーザホルダ１０ａ間、および第二の突起部１１ｂと第二のレーザホルダ１０ｂ間に熱伝導部材１６ａ、１６ｂを備えたことを特徴とする光モジュール。【選択図】図３
2016138901.tif 000002
【特許請求の範囲】
【請求項１】
複数のレーザ光源からのレーザ光を結合し所望の位置に照射する光モジュールであって、
前記光モジュールを載置する基台と、前記光モジュールを覆うカバーを有し、前記基台に突起部を設け、
前記突起部と、
レーザ光源を保持するレーザホルダ間に熱伝導部材を備えたことを特徴とする光モジュール。
【請求項２】
請求項１の光モジュールにおいて、
第1のレーザ光源を保持する第1のレーザホルダに対する第1の突起部と、
第2のレーザ光源を保持する第2のレーザホルダに対する第2の突起部を、前記光モジュールを載置する基台に設け、
前記第1の突起部と前記第1のレーザホルダ間、および前記第2の突起部と前記第2のレーザホルダ間に熱伝導部材を備えたことを特徴とする光モジュール。
【請求項３】
請求項２の光モジュールにおいて、
前記第1のレーザ光源を赤色レーザ光源、前記第2のレーザ光源を緑色レーザとしたことを特徴とする光モジュール。
【請求項４】
請求項２の光モジュールにおいて、
熱伝導部材を塗布するレーザ光源の光軸方向の突起部と前記レーザホルダ間の距離が、熱伝導部材を塗布するレーザ光源の光軸以外の方向の突起部と前記レーザホルダ間の距離より小さいことを特徴とする光モジュール。
【請求項５】
請求項２の光モジュールにおいて、
レーザホルダから見て、光モジュールが基台に取り付く方向と反対方向の面と、前記レーザホルダを取り付けるモジュール筐体の方向の面を除いた少なくとも２面以上に、前記レーザホルダ形状に相似した突起部の面をもち、前記突起部と前記レーザホルダ間に熱伝導部材を備えたことを特徴とする光モジュール。
【請求項６】
請求項４の光モジュールにおいて、
前記レーザホルダから見て、光モジュールが基台に取り付く方向に延長した前記レーザホルダであって、
延長した前記レーザホルダと突起部の間に熱伝導部材を備えたことを特徴とする光モジュール。
【請求項７】
請求項４の光モジュールにおいて、
前記突起部をカバーに備えたことを特徴とする光モジュール。
【請求項８】
複数のレーザ光源からのレーザ光を結合し、走査ミラーにより結合されたレーザ光を所望の位置に照射する光モジュールと、
外部から入力される画像信号から水平同期信号および垂直同期信号を抽出するビデオ信号処理回路と、
前記各レーザ光源へ駆動電流を供給するレーザ光源駆動回路と、
前記水平同期信号および垂直同期信号に基づき前記走査ミラーを制御する走査ミラー駆動回路を備え、
第一のレーザ光源を保持する第一のレーザホルダに対する第一の突起部と、第二のレーザ光源を保持する第二のレーザホルダに対する第二の突起部を、前記光モジュールを載置する基台に設け、
前記第一の突起部と第一のレーザホルダ間、および第二の突起部と第二のレーザホルダ間に熱伝導部材を備えたことを特徴とする走査型画像表示装置。
【発明の詳細な説明】
【技術分野】
【０００１】
本発明は、光モジュール、及び走査型画像表示装置に関し、例えば、複数のレーザからのレーザビームを１つの光軸上に整列して射出する光モジュール、および、光モジュールからのレーザビームを用いて画像表示を行う走査型画像表示装置に関する。
【背景技術】
【０００２】
近年、手軽に持ち歩きが可能で、大きな画面で表示できる小型プロジェクタの開発が盛んである。すでにノートＰＣなどに接続できる小型のプロジェクタや、記録画像を投射できるプロジェクタを内蔵したビデオカメラなどが市販されており、今後、携帯電話やスマートフォンに内蔵するものも登場すると思われる。
【０００３】
プロジェクタとしては、複数のレーザ光源からのビームを結合し走査する走査型画像表装置が知られており、画像の高輝度を生かして自動車などに搭載しフロントガラスに投射、ナビゲートの表示などのヘッドアップディスプレイへの展開が考えられている。その一方で、レーザ光源、特に、赤色のレーザ光源は、温度上昇による光量の低下が顕著であるという特徴がある。赤色、緑色、青色の３色の光で画像を描画する走査型画像表示装置において、使用時間とともに赤色のレーザ光源の温度が上昇して光量が低下すると、赤色の光量に合わせて緑色と青色の光量を下げざるを得ない。このため、長時間にわたって明るい映像を維持できなくなるなどの問題を生じさせる。したがって、明るい映像を実現するためには、赤色の光源の温度上昇を低減して、光量の低下を抑えることが重要である。
【０００４】
この改善策として、レーザ光源サブアッセンブリを支持する第一の支持部材と第二の支持部材間に熱伝導部品を有して放熱する方法が、（特許文献1）に開示されている。（特許文献１）には、レーザ光源からの熱を、サブアッセンブリを介して第一の支持部材に伝達し、更に熱伝導部品を介して第二の支持部材に伝達しレーザ光源の温度上昇を防ぐことが記載されている。
【先行技術文献】
【特許文献】
【０００５】
【特許文献１】特開２００４−１７０８０９号公報
【発明の概要】
【発明が解決しようとする課題】
【０００６】
自動車などに搭載するヘッドアップディスプレイなど使用温度が高い光モジュールに対しては、放熱性の向上が必要となる。
【０００７】
しかしながら（特許文献１）の構造は、更なる放熱性の向上のために部品の増設と大型化してしまうという課題があった。
【０００８】
本発明の目的は、装置の大型化を伴うことなく簡便でレーザ光源の放熱性を向上させる構造を備えた光モジュールおよび走査型画像表示装置を提供することにある。
【課題を解決するための手段】
【０００９】
上記課題を解決するため、本発明は複数のレーザ光源からのレーザ光を結合し所望の位置に照射する光モジュールであって、前記光モジュールを載置する基台と、前記光モジュールを覆うカバーを有し、前記基台に突起部を設け、前記突起部と、レーザ光源を保持するレーザホルダ間に熱伝導部材を備えたことを特徴とするものである。
【００１０】
更に、本発明は光モジュールにおいて、第1のレーザ光源を保持する第1のレーザホルダに対する第1の突起部と、第2のレーザ光源を保持する第2のレーザホルダに対する第2の突起部を、前記光モジュールを載置する基台に設け、前記第1の突起部と第1のレーザホルダ間、および第2の突起部と第2のレーザホルダ間に熱伝導部材を備えたことを特徴とするものである。
【００１１】
更に、本発明は光モジュールにおいて、第1のレーザ光源を赤色レーザ光源、第2のレーザ光源を緑色レーザとしたことを特徴とするものである。
【００１２】
更に、本発明は光モジュールにおいて、熱伝導部材を塗布するレーザ光源の光軸方向の突起部とレーザホルダ間の距離が、熱伝導部材を塗布するレーザ光源の光軸以外の方向の突起部とレーザホルダ間の距離より小さいことを特徴とするものである。
【００１３】
更に、本発明は光モジュールにおいて、レーザホルダから見て、光モジュールが基台に取り付く方向と反対方向の面と、レーザホルダを取り付けるモジュール筐体４の方向の面を除いた少なくとも２面以上に、レーザホルダ形状に相似した突起部の面をもち、突起部とレーザホルダ間に熱伝導部材を備えたことを特徴とするものである。
【００１４】
更に、本発明は光モジュールにおいて、レーザホルダから見て、光モジュールが基台に取り付く方向に延長したレーザホルダであって、延長したレーザホルダと突起部の間に熱伝導部材を備えたことを特徴とするものである。
【００１５】
更に、本発明は光モジュールにおいて、突起部をカバーに備えたことを特徴とするものである。
【００１６】
また、上記課題を解決するため、本発明は走査型画像表示装置において、複数のレーザ光源からのレーザ光を結合し、走査ミラーにより結合されたレーザ光を所望の位置に照射する光モジュールと、外部から入力される画像信号から水平同期信号および垂直同期信号を抽出するビデオ信号処理回路と、前記各レーザ光源へ駆動電流を供給するレーザ光源駆動回路と、前記水平同期信号および垂直同期信号に基づき前記走査ミラーを制御する走査ミラー駆動回路を備え、第一のレーザ光源を保持する第一のレーザホルダに対する第一の突起部と、第二のレーザ光源を保持する第二のレーザホルダに対する第二の突起部を、前記光モジュールを載置する基台に設け、前記第一の突起部と第一のレーザホルダ間、および第二の突起部と第二のレーザホルダ間に熱伝導部材を備えたことを特徴とするものである。
【発明の効果】
【００１７】
本発明によれば、装置の大型化を伴うことなく、効率的に赤色レーザ光源の温度上昇を低減することができる。これによって、赤色レーザ光源の光量低下を抑えることできるため、長時間にわたって明るい映像を維持することができる光モジュールおよび走査型画像表示装置を提供できる。また、低消費電力で明るい映像を映すことができる光モジュール、及び走査型画像表示装置を提供できる。
【００１８】
上記した以外の課題、構成および効果は、以下の実施形態の説明により明らかにされる。
【図面の簡単な説明】
【００１９】
【図１】本発明の一実施例に係る走査型画像表示装置の全体構成図である。
【図２】本発明の一実施例に係る走査型画像表示装置の外観斜視図である。
【図３】本発明の一実施例に係る突起部構造を示す斜視図である。
【図４】本発明の一実施例に係る突起部構造を示す光モジュールの部分斜視図である。
【図５】本発明の第二の実施例に係る突起部構造の断面図である。
【図６】本発明の第三の実施例に係る突起部構造を示す斜視図である。
【図７】本発明の第四の実施例に係る突起部構造の断面図である。
【発明を実施するための形態】
【００２０】
以下、本発明の実施例について図面を用いて説明する。なお、同一の符号を付された構成は、同一の機能を有するので、特に言及しない限りは、既に説明されている場合それらの説明は省略する。
また、必要な図面には、各部の位置の説明を明確にするために、x軸、y軸およびz軸からなる直交座標軸を記載している。
【実施例１】
【００２１】
本実施例では、赤色レーザ光源の温度上昇を低減し、長時間にわたって明るい映像を維持するという目的を、装置の大型化や消費電力の増加を伴わずに実現した光モジュール１０１およびそれを用いた走査型画像表示装置１１０の例を説明する。
【００２２】
図１は本発明の一実施例に係る走査型画像表示装置の全体構成図である。図１に示されるように、走査型画像表示装置１１０は、光モジュール１０１、電源を内蔵する制御回路１０２、ビデオ信号処理回路１０３、レーザ光源駆動回路１０４、フロントモニター信号検出回路１０６および走査ミラー駆動回路１０５からなり、画像入力信号に対応するレーザビームを走査しスクリーン１０７へ投射するよう構成されている。
【００２３】
光モジュール１０１は、レーザ光源モジュール１００、走査ミラー１０８を含む走査部およびフロントモニター１０９を備えている。レーザ光源モジュール１００は、赤（Ｒ）／緑（Ｇ）／青（Ｂ）の３色それぞれに対応するレーザ光源としての第１のレーザ１ａ、第２のレーザ１ｂ、第３のレーザ１ｃと、第１のレーザ１ａから発せられたレーザビームを略平行光にする第１のコリメータレンズ２ａ、第２のレーザ１ｂから発せられたレーザビームを略平行光にする第２のコリメータレンズ２ｂ、第３のレーザ１ｃから発せられたレーザビームを略平行光にする第３のコリメータレンズ２ｃを有している。第２のコリメータレンズ２ｂからのレーザビームと第３のコリメータレンズ２ｃからのレーザビームは第１のビーム結合部３ａにより一本の軸に沿って進む合成ビームに結合され、結合されたレーザビームは更に第２のビーム結合部３ｂにより第１のコリメータレンズ２ａからのレーザビームと結合される。走査ミラー１０８を含む走査部は、第２のビーム結合部３ｂからの結合されたレーザビームをスクリーン１０７へ投射し、スクリーン１０７上で２次元的にレーザビームを走査する。
【００２４】
次に、光モジュール１０１を制御し所望の画像信号に対応するレーザビームをスクリーン１０７に投射可能とする各種回路について説明する。
【００２５】
電源等を内蔵する制御回路１０２は、外部より入力される画像信号を取り込みビデオ信号処理回路１０３に出力する。ビデオ信号処理回路１０３は、入力される画像信号に対し各種の処理を施した後に、Ｒ／Ｇ／Ｂの３色信号に分離してレーザ光源駆動回路１０４に出力すると共に、入力された画像信号から水平同期信号（Ｈｓｙｎｃ）および垂直同期信号(Ｖｓｙｎｃ)を抽出し走査ミラー駆動回路１０５へ出力する。レーザ光源駆動回路１０４は、ビデオ信号処理回路１０３から入力されるＲ／Ｇ／Ｂの各信号の輝度値に応じて、レーザ光源モジュール１００内の対応するレーザ光源（１ａ、１ｂ、１ｃ）に対して発光用の駆動電流を供給する。その結果、レーザ光源１ａ、１ｂ、１ｃは表示タイミングに合わせてＲ／Ｇ／Ｂ信号の輝度値に応じた強度のレーザビームを出射する。
【００２６】
また、走査ミラー駆動回路１０５は、ビデオ信号処理回路１０３から入力される水平同期信号および垂直同期信号に合わせて光モジュール１０１内の走査ミラー１０８に対しミラー面を２次元的に反復回転させる駆動信号を供給する。これにより走査ミラー１０８は、ミラー面を所定の角度だけ周期的に反復回転して、第２のビーム結合部３ｂから供給される結合後のレーザビームを反射させ、スクリーン１０７上に水平方向および垂直方向にレーザビームを走査して画像を表示する。
【００２７】
フロントモニター信号検出回路１０６は、第２のビーム結合部３ｂからの結合後のレーザビームを検出するフロントモニター１０９からの信号を入力して、各レーザ光源１ａ、１ｂ、１ｃから出射されるＲ／Ｇ／Ｂそれぞれのレーザビームの出力レベルを検出する。検出された出力レベルは、ビデオ信号処理回路１０３に入力されレーザ光源駆動回路１０４を介して所定の出力になるよう各レーザ光源１ａ、１ｂ、１ｃへの駆動電流が調整される。
【００２８】
なお、走査ミラー１０８には、例えばＭＥＭＳ（Micro Electro Mechanical Systems）技術を用いて作成された２軸駆動ミラーを用いることができる。駆動方式としては、圧電、静電、電磁駆動のものなどがある。また、１軸駆動の走査ミラーを２つ用意し、互いに直交する方向にレーザビームを走査できるように配置してもよい。
【００２９】
図２は本発明の一実施例に係る走査型画像表示装置の外観斜視図である。図２において、光モジュール１０１は、カバー１１１と基台（ベース）１１２に覆われた場所に封止し収納されている。基台（ベース）１１２には、結合後のレーザビームを出射可能とする出射口が設けられ、ここに封止ガラス１１３を装備し気密性が維持されている。封止されているカバー１１１の後方には、光モジュール１０１を制御する制御回路１０２、ビデオ信号処理回路１０３、レーザ光源駆動回路１０４、フロントモニター信号検出回路１０６および走査ミラー駆動回路１０５が同一の基板又は複数の基板に実装され、これら基板が基台（ベース）１１２上に配置されている。そして保護カバー１１４で保護されている。ここで、カバー１１１は熱伝導率の高いＡｌ（アルミニウム）部材にて形成されている。尚、形成部材としてはＡｌに限らず高熱伝導率の部材であれば良く、例えばＣｕを形成部材としても良い。但し、カバー１１１を所望の形状に加工する点を考慮するとＡｌが望ましい。また、保護カバー１１４は亜鉛鋼板又は鉄板等のＳＰＣＣ(冷間圧延鋼板)にて形成されている。尚、保護カバー１１４も熱伝導率の高いＡｌ（アルミニウム）部材等を用いることで放熱機能を合わせ持つものとしても良い。
【００３０】
基台（ベース）１１２にはヒートシンク１１５が取り付けられており、発熱体（熱源）である光モジュール１０１や上記各種回路が実装された基板等から発せられる熱を外部に放熱する。ヒートシンク１１５はＡｌ等の高熱伝導率の部材で形成され、その表面積を大とするため複数のフィンを有する形状となっている。なお、ここで基台（ベース）１１２もカバー１１１およびヒートシンク１１５と同様に熱伝導率の高いＡｌ部材を用いることで放熱機能を合わせ持つものとしても良い。
【００３１】
走査型画像表示装置１１０の使用時の温度上昇によりレーザ光源１ａ、１ｂ、１ｃの光量が低下すると、画面全体が赤っぽくなったりするなどの画像の色ずれを引き起こす。特に、温度上昇による光量の低下が顕著である赤色レーザ光源１ａの光量に応じて白色を維持しようとすると、緑色と青色の光量を下げざるを得ない。そのため画面全体の光量が大幅に低下する。また高温状態でのレーザ光源１ａ、１ｂ、１ｃの駆動は、レーザ光源寿命の短命化の要因ともなる。そのためレーザ光源１ａ、１ｂ、１ｃ駆動時の温度上昇を抑制するため、光モジュール１０１に基台（ベース）１１２およびヒートシンク１１５を取り付けるなど放熱部材が必要である。なお、自動車などに搭載する場合は、ヒートシンク１１５の代わりに搭載装置の筐体に接続し、放熱性を確保してもよいものとする。
【００３２】
ここで、レーザ光源１ａ、１ｂ、１ｃの放熱性を向上させると、レーザ光源１ａ、１ｂ、１ｃの温度上昇を低減し光量の低減を防ぐことがでるため、消費電力低減効果も期待できる。
【００３３】
以下では、図3、及び図4を用いて放熱構造の具体的構成について説明する。図３は本発明の一実施例に係る突起構造１１ａ、１１ｂを示す斜視図であり、図４は本発明の一実施例に係る突起部構造１１ａを示す光モジュール１０１の部分斜視図である。
【００３４】
図３において、光モジュール１０１は、第１のレーザ光源１ａ、第２のレーザ光源１ｂ、第３のレーザ光源１ｃが各レーザ光源１ａ、１ｂ、１ｃに対応し保持するレーザホルダ１０ａ、１０ｂ、１０ｃを介してモジュール筺体４に取り付けられている。レーザ光源１ａ、１ｂ、１ｃの排熱を促進するため、前記モジュール筐体４は、基台（ベース）１１２と接続される構造となっている。
【００３５】
基台（ベース）１１２は、光モジュール１０１を封止するように周囲に壁（側面）を設け、結合後のレーザビームを出射可能とする出射口に封止ガラス１１３を装備し、カバー１１１を装着することによって、気密性が維持されている。本光モジュールは、レーザ光源１ａ、１ｂ、１ｃを用いているため、レーザビームの光束径が小さい。そのため、ほこりなどがレーザビームを横切ると画面上に暗部となって表示されるため画像への影響が大きく、光モジュール１０１へのほこりなどの進入を防ぐために封止を兼ねた放熱機能をもった構造としている。ここで、クリーンな周囲環境や、ほこり等の画像へ影響を無視してもよい場合には、カバー１１１を封止機能がない保護カバーとしてもよいものとする。
【００３６】
図４に示すように、突起部１１ａは、第一のレーザ光源１ａを装着したレーザホルダ１０ａに近接するように基台１１２から突出している。突起部１１ａは光モジュール１０１を基台１１２に装着する方向（z軸方向）に開放されており、組立性を確保されている。前記光モジュール１０１を装着する（取り付ける）方向とは、光モジュール１０１全体を位置決めし支える方向を指す。
【００３７】
レーザ光源１ａを装着したレーザホルダ１０ａは、光軸１２ａを法線とする面内（ｚｘ平面）で光軸調整をするため、レーザホルダ１０ａと突起部１１ａ間の光軸１２ａ方向の距離１３ａは、光軸１２ａを法線とする面内（ｚｘ平面）方向のレーザホルダ１０ａと突起部１１ａ間の距離１４ａ、１５ａと比較して小さくなっている。レーザホルダ１０ａと突起部１１ａ間には、熱伝導部材１６ａが塗布され、熱伝導経路を構成している。前記熱伝導部材１６ａは、グリスやゲルなどの部材を採用することができる。
【００３８】
突起部１１ａがない場合の熱伝導経路は、発熱源のレーザ光源１１ａからレーザホルダ１０ａを介しモジュール筐体４に熱が伝わり、モジュール筐体４から基台１１２に熱が伝わっている。これに対して、突起部１１ａを設けると熱伝導経路は、発熱源のレーザ光源１１ａからレーザホルダ１０ａを介し、直接基台１１２に熱が伝わり放熱効率がよい構造となっている。
【００３９】
突起部１１ａの形状は、レーザホルダ１０ａに近接しやすいようにレーザホルダ１０ａと相似形の形状が望ましい。その際、レーザホルダ１０ａに関して、レーザホルダ１０ａを中心に＋ｘ軸方向の面と−ｘ軸方向の面、＋ｙ軸方向の面、−ｙ軸方向の面（光軸１２ａ方向）、＋ｚ軸方向の面、−ｚ軸方向の面の６面に見ると、光モジュール１０１の取り付け方向（＋ｚ軸方向の面）の面以外の少なくとも２面が、レーザホルダ１０ａに近接し、熱伝導部材１６ａを塗布されているものとする。光モジュール１０１の取り付け方向（＋ｚ軸方向の面）の面を言い換えると、レーザホルダ１０ａから見て光モジュール１０１が基台１１２に取り付く方向と反対方向の面となる。理想的には、光モジュール１０１の取り付け方向（＋ｚ軸方向の面）以外で、レーザホルダ１０ａを取り付けるモジュール筐体４の方向の面（−ｙ軸方向の面）を除いた残り４面に、突起部１１ａとレーザホルダ１０ａに対となる面を設け、熱伝導部材１６ａを塗布する。
【００４０】
ここで、レーザホルダ１０ａ、１０ｂと突起部１１ａ、１１ｂの位置関係は、対応したレーザ光源１ａ、１ｂの光軸１２ａ、１２ｂに準じて設けるものとする。また、図３では、突起部１１ａ、１１ｂは、温度上昇による光量の低下が顕著な赤色のレーザ光源１ａと発熱量が一番大きい緑色のレーザ光源１ｂの２ヶ所に設け、レーザ光源１ａ、１ｂの放熱の効率化を図っている。突起部１１ａは、温度上昇による光量の低下が顕著な赤色のレーザ光源１ａにのみ設けてもよいものとする。
【００４１】
また、図中では光軸１２ａをｘｙ平面内に配しているが、走査型画像表示装置１１０の設置位置の都合により光軸１２ａをオフセット、具体的にはｚｘ平面に角度をもって斜めに光軸１２ａを配置する場合がある。前記光軸１２ａが斜めに配置された場合は、対応したレーザ光源１ａの光軸１２ａにしたがって、レーザホルダ１０ａの面と突起部１１ａの面を斜めに設けるものとする。同様に、光軸１２ａのオフセット方向は、上下左右に任意に取れるものとする。
【００４２】
前記突起部１１ａ、１１ｂを設けることによって放熱性が向上でき、光モジュール１０１の大型化を伴わず、低消費電力で環境温度が高温時でも明るい画像が表示可能な、光モジュール１０１および走査型画像表示装置１１０ができる。
【実施例２】
【００４３】
本発明の第2の実施例の断面図（図４のＡ−Ａ断面）を図５に示す。図５では、部材間の関係を明確とするため、熱伝導部材１６ａを表示していないが、突起部２２ａとレーザホルダ２４ａ間に塗布されている。
【００４４】
前記したレーザホルダ１０ａと突起部１１ａの距離１３ａは、小さいほど放熱性が向上する。しかし、レーザ光源１１ａの光軸１２ａ方向の後方はレーザ光源１ａの端子があり、端子と突起部１１ａが接触するとレーザ光源１ａが破損するため、距離１３ａを小さくするには注意が必要であった。距離１３ａを更に小さくするため、レーザホルダ２４ａを光軸１２ａを法線とする面内（ｘｙ平面）に延長させレーザ光源１ａの端子がない突起部２２ａに近接できる面２１aを設け、レーザホルダ24ａと突起部２２ａの距離２３ａを小さくし、放熱性の向上を図った突起部２２ａおよびレーザホルダ２４ａ構造である。
【００４５】
前記突起部２２ａとレーザホルダ２４ａの近接面２１ａを設けることによって、放熱性が向上でき、光モジュール１０１の大型化を伴わず、低消費電力で環境温度が高温時でも明るい画像が表示可能な、光モジュール１０１および走査型画像表示装置１１０ができる。
【００４６】
ここで、レーザホルダ２４ａの延長方向を光モジュール１０１の組み立て方向（ｚ軸方向）に延長すると突起部２２ａと近接面２１ａの面積は、レーザ光源１ａの調整による移動（ｚｘ平面の移動）に係わらず変化しないため、放熱能力の変動を抑えることができ、温度制御が容易な光モジュール１０１および走査型画像表示装置１１０ができる。
【００４７】
図５は、レーザホルダ２４ａの近接面２１ａを基台１１３側にレーザ光源端子より、モジュール筐体４よりに設けているが、同様な構成でレーザホルダ２４ａの近接面２１ａをカバー１１１側にレーザ光源端子より、基台１１６の側面方向にレーザホルダ２２ａを突出して設けてもよい。
【実施例３】
【００４８】
図６は、本発明の第3の実施例に係る突起部構造の斜視図である。実施例１の基台１１２の光モジュール１０１周囲の壁（側面）を設けているが、前記光モジュール１０１周囲の壁（側面）をカバー１１８側に設け、突起部３２ａを基台１１７に設けた構造となっている。光モジュール１０１周囲の壁（側面）をカバー１１８に設けることによって、光モジュール１０１の取り付け時に周囲から調整や熱伝導部材１６ａ、１６ｂの塗布や目視確認が容易となり、組立て性が向上できる。
【００４９】
前記突起部３２ａを設けた基台１１７とカバー１１８設けることによって、光モジュール１０１の大型化を伴わず組立性がよく放熱性が向上できる、低消費電力で環境温度が高温時でも明るい画像が表示可能な、光モジュール１０１および走査型画像表示装置１１０ができる。
【実施例４】
【００５０】
図７は、本発明の第4の実施例に係る突起部構造の断面図である。図７では、部材間の関係を明確とするため、熱伝導部材１６ａを表示していないが、突起部４２ａとレーザホルダ４４ａ間に塗布されている。突起部４２ａをカバー１２０に設け、基台１１９を板状としたとき構造である。レーザホルダ44ａは光軸１２ａを法線とする面内（ｘｙ平面）で光モジュール１０１の組み立て方向（ｚ軸方向）に延長し、近接面４１ａを設けた。
【００５１】
基台１１９が板状となるため、基台１１９の加工が容易となりの安価に製造でき、光モジュール１０１周囲に障害物がないため、基台１１９上に光モジュール１０１を搭載した状態での調整が容易な構造となっている。
【００５２】
前記突起部４２ａを設けたカバー120と基台１１９によって、光モジュール１０１の大型化を伴わず組立性がよく放熱性が向上できる、低消費電力で環境温度が高温時でも明るい画像が表示可能な、光モジュール１０１および走査型画像表示装置１１０ができる。
【００５３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
【符号の説明】
【００５４】
１ａ  第１のレーザ
１ｂ  第２のレーザ
１ｃ  第３のレーザ
２ａ  第１のコリメータレンズ
２ｂ  第２のコリメータレンズ
２ｃ  第３のコリメータレンズ
３ａ  第１のビーム結合部
３ｂ  第２のビーム結合部
４    モジュール筺体
１０ａ  レーザホルダ
１０ｂ  レーザホルダ
１０ｃ  レーザホルダ
１１ａ  突起部
１１ｂ  突起部
１２ａ  光軸
１２ｂ  光軸
１２ｃ  光軸
１３ａ  距離
１３ｂ  距離
１４ａ  距離
１４ｂ  距離
１５ａ  距離
１５ｂ  距離
１６ａ  熱伝導部材
１６ｂ  熱伝導部材
２１ａ  近接面
２１ｂ  近接面
２２ａ  突起部
２２ｂ  突起部
２３ａ  距離
２３ｂ  距離
２４ａ  レーザホルダ
２４ｂ  レーザホルダ
２４ｃ  レーザホルダ
３２ａ  突起部
３２ｂ  突起部
３４ａ  レーザホルダ
３４ｂ  レーザホルダ
３４ｃ  レーザホルダ
４１ａ  近接面
４１ｂ  近接面
４２ａ  突起部
４２ｂ  突起部
４３ａ  距離
４３ｂ  距離
４４ａ  レーザホルダ
４４ｂ  レーザホルダ
４４ｃ  レーザホルダ
１００  レーザ光源モジュール
１０１  光モジュール
１０２  制御回路
１０３  ビデオ信号処理回路
１０４  レーザ光源駆動回路
１０５  走査ミラー駆動回路
１０６  フロントモニター信号検出回路
１０７  スクリーン
１０８  走査ミラー
１０９  フロントモニター
１１０  走査型画像表示装置
１１１  カバー
１１２  基台（ベース）
１１３  出射口ガラス
１１４  カバー
１１５  ヒートシンク
１１６  基台（ベース）
１１７  基台（ベース）
１１８  カバー
１１９  基台（ベース）
１２０  カバー
【図１】
2016138901.tif 000003
【図２】
2016138901.tif 000004
【図３】
2016138901.tif 000005
【図４】
2016138901.tif 000006
【図５】
2016138901.tif 000007
【図６】
2016138901.tif 000008
【図７】
2016138901.tif 000009